(57)【要約】【課題】  タブ位置の異なる複数のタブ紙を作成する際のユーザの負担軽減を図った画像処理装置を提供する。【解決手段】  所定の位置に複数のタブ部イメージ６２ａ〜６２ｅを有する１枚のタブ原稿６からタブ原稿画像６０を画像入力部により読み取り、そのタブ原稿画像６０をＨＤＤに記憶する。編集回路はタブ原稿画像６０から複数のタブ編集画像７０ａ，７０ｂ，…を順次形成し、画像出力部によりタブ用紙７に順次印刷する。【選択図】    図３
2005039513.tif 000002
【特許請求の範囲】
【請求項１】
所定の位置に複数のタブ部画像を有する１枚のタブ原稿からタブ原稿画像を読み取る読取手段と、
前記タブ原稿画像を記憶する記憶手段と、
前記タブ原稿画像を編集して前記タブ部画像の数に対応した複数のタブ編集画像を形成する編集手段と、
前記複数のタブ編集画像を複数のタブ用紙に順次印刷する印刷手段とを備えたことを特徴とする画像処理装置。
【請求項２】
前記読取手段は、前記複数のタブ部画像が前記タブ原稿の１つの辺に沿って配置された前記１枚のタブ原稿から前記タブ原稿画像を読み取ることを特徴とする請求項１記載の画像処理装置。
【請求項３】
前記読取手段は、前記複数のタブ部画像が前記タブ原稿の１つの辺に対して斜め方向に配置された前記１枚のタブ原稿から前記タブ原稿画像を読み取ることを特徴とする請求項１記載の画像処理装置。
【請求項４】
前記編集手段は、前記複数のタブ部画像のうち対応する１つのタブ部画像以外のタブ部画像を消去して前記複数のタブ編集画像を形成することを特徴とする請求項１記載の画像処理装置。
【請求項５】
前記編集手段は、１つの前記タブ編集画像を記憶するメモリを備え、前記複数のタブ編集画像を順次形成して前記メモリに記憶することを特徴とする請求項１記載の画像処理装置。
【請求項６】
所定の位置に複数のタブ部画像を有する１枚のタブ原稿からタブ原稿画像を読み取る読取手段と、
前記タブ原稿画像を記憶する記憶手段と、
前記タブ部の長さと幅を入力する入力手段と、
前記入力手段によって入力された前記タブ部の長さと幅に基づいて前記タブ原稿画像を編集して前記タブ部画像の数に対応した複数のタブ編集画像を形成する編集手段と、
前記複数のタブ編集画像を複数のタブ用紙に順次印刷する印刷手段とを備えたことを特徴とする画像処理装置。
【請求項７】
前記入力手段は、前記タブ用紙の本体部に対する本体画像の有無を選択する選択キーを備え、
前記編集手段は、前記選択キーにより前記本体画像有りが選択されたとき、前記複数のタブ部画像のうち対応するタブ部画像以外のタブ部画像を消去して前記タブ編集画像を形成し、前記本体画像無しが選択されたとき、前記複数のタブ部画像のうち対応するタブ部画像以外のタブ部画像、および前記本体画像を消去して前記タブ編集画像を形成することを特徴とする請求項６記載の画像処理装置。
【発明の詳細な説明】
【技術分野】
【０００１】
本発明は、デジタル複写機，プリンタ，ファクシミリ，複合機等の画像処理装置に関し、特に、タブ位置の異なる複数のタブ紙を作成する際のユーザの負担軽減を図った画像処理装置に関する。
【背景技術】
【０００２】
従来の画像処理装置として、例えば、タブ部の長さを入力画面で入力し、タブ原稿からタブ原稿画像を読み取り、入力されたタブ部の長さに応じてタブ原稿画像の画像形成タイミングを遅らせてタブ部に画像を形成するものが知られている（例えば、特許文献１参照。）
【０００３】
図６は、その従来の画像処理装置によるタブ紙の作成手順を説明するための図である。なお、Ｌ1はタブ原稿６およびタブ用紙７の長辺の長さを表し、Ｌ2はタブ原稿６の短辺の長さを表す。まず、図６（ａ）に示すように、タブ部イメージ６２ａが記入されたタブ原稿６からタブ原稿画像を読み取り、この読み取ったタブ原稿画像の画像形成タイミングをシフト量Ｓ分遅らせてタブ用紙７上にタブ原稿画像を印刷することにより、タブ部イメージ６２ａがタブ部７ｂに印刷される。次に、図６（ｂ）に示すように、タブ部イメージ６２ｂが最初のものとは異なる位置に記入されたタブ原稿６からタブ原稿画像を読み取り、この読み取ったタブ原稿画像の画像形成タイミングをシフト量Ｓ分遅らせてタブ用紙７上にタブ原稿画像を印刷することにより、タブ部イメージ６２ａがタブ部７ｂに印刷される。このようにして順次原稿画像の読取と印刷を行うことにより、複数のタブ紙が形成される。
【特許文献１】特開平８−２２０９４０号公報（段落番号００５０〜００５７）
【発明の開示】
【発明が解決しようとする課題】
【０００４】
しかし、従来の画像処理装置によると、タブ位置の異なる複数のタブ紙を作成する場合、タブ部画像の位置が異なる複数のタブ原稿を予め用意し、複数回の読取動作を行わなければならないため、ユーザにとって煩わしいという問題がある。
【０００５】
従って、本発明の目的は、タブ位置の異なる複数のタブ紙を作成する際のユーザの負担軽減を図った画像処理装置を提供することにある。
【課題を解決するための手段】
【０００６】
本発明は、上記目的を達成するため、所定の位置に複数のタブ部画像を有する１枚のタブ原稿からタブ原稿画像を読み取る読取手段と、前記タブ原稿画像を記憶する記憶手段と、前記タブ原稿画像を編集して前記タブ部画像の数に対応した複数のタブ編集画像を形成する編集手段と、前記複数のタブ編集画像を複数のタブ用紙に順次印刷する印刷手段とを備えたことを特徴とする画像処理装置を提供する。
【０００７】
この構成によれば、読取手段がタブ原稿からタブ原稿画像を１回読み取ると、編集手段によって複数のタブ編集画像が形成され、タブ部画像がタブ用紙のタブ部に印刷され、タブ位置の異なる複数のタブ紙が作成される。
【発明の効果】
【０００８】
本発明の画像処理装置によれば、ユーザは１つのタブ原稿を作成し、１回の読取動作を行うことにより、複数のタブ紙を作成できるので、タブ位置の異なる複数のタブ紙を作成する際の負担軽減を図ることができる。
【発明を実施するための最良の形態】
【０００９】
図１は、本発明の第１の実施の形態に係る画像処理装置が適用されたデジタル複写機のブロック図を示す。このデジタル複写機は、このデジタル複写機全体を制御する画像処理部１と、ユーザの操作によってタブ紙を作成するモード（以下「タブ紙モード」という。）の設定等の各種の入力が可能な操作部２と、原稿から画像を読み取って入力する画像入力部３と、画像入力部３から入力された原稿画像を蓄積する画像蓄積部４と、用紙に画像を印刷して出力する画像出力部５とを有して概略構成されている。
【００１０】
次に、上記各部の詳細を説明する。
【００１１】
操作部２は、原稿の読み取り開始を指示するスタートボタン、コピーや通信作業を中止するストップボタン等の複数のボタンの他、タッチパネルディスプレイを備える。タッチパネルディスプレイは、液晶ディスプレイ等の表示部と、この表示部の上に重合配置された入力部からなる。入力部は、表示部に表示された各項目の表示位置に対応する入力部の部分を押圧することによって入力操作が行えるようになっている。
【００１２】
画像入力部３は、原稿が１枚ずつ載置されるプラテンと、複数の原稿を自動的に１枚ずつ供給するＡＤＦ（自動給紙装置）と、ＡＤＦから供給された原稿、あるいはプラテン上に載置された原稿のサイズと向きを検出する原稿センサと、ＣＣＤ（Charge Coupled Device）等の固体撮像素子によって原稿の画像を指定された読取倍率で光学的に１枚ずつ読み取る画像読取部とを備えている。
【００１３】
画像出力部５は、複数のタブ用紙を収容するタブ用紙トレイ５０と、複数の通常の用紙を収容する通常カセット５１と、選択されたモードに応じてタブ用紙トレイ５０あるいは通常カセット５１から用紙を取り出して印刷位置まで供給する用紙供給部５２と、印刷位置に供給された用紙に画像を例えば、電子写真プロセス方式により印刷する印刷部５３と、印刷された用紙を排紙するための排紙トレイ５４とを備える。電子写真プロセスは、感光体に対する帯電，現像，クリーニングを繰り返すことにより実現される。すなわち、感光体の表面を帯電器によって一様に帯電させた後、画像データに従って感光体の表面を露光して静電潜像を形成し、現像器によって静電潜像をトナー像とした後、用紙供給部５２から供給された用紙上にトナー像を転写する。その後、加熱溶融・圧着作用によってトナー像を用紙上に定着して排紙トレイ５４に排出する。転写後の感光体の表面は、残留トナーをクリーナによって除去した後、次の現像プロセスに供される。
【００１４】
画像蓄積部４は、原稿画像を圧縮する圧縮器４０と、圧縮された原稿画像あるいは編集画像を一時的に記憶するメモリ４１と、メモリ４１に記憶された原稿画像を蓄積するＨＤＤ(Hard Disk Drive)４２と、ＨＤＤ４２に蓄積された原稿画像を編集する編集回路４３と、圧縮された原稿画像あるいは編集画像を伸長する伸長器４４とを備えている。
【００１５】
編集回路４３は、後述するタブ設定画面にて入力されたタブ幅とタブ紙シフト量に基づいて原稿画像をシフト量分にシフトする編集を行ってタブ編集画像を形成するものである。なお、感光体への画像形成タイミングを遅らせてタブ編集画像を形成してもよい。
【００１６】
図２は、操作部２のタッチパネルディスプレイに表示されるタブ設定画面を示す。このタブ設定画面２０ａは、タブ紙モードを選択するタブ紙モードありキー２１ａおよびタブ紙モードなしキー２１ｂからなるタブ紙モード選択キー２１と、図示しないテンキーから入力されたタブ幅を表示するタブ幅表示部２２と、図示しないテンキーから入力されたタブ紙シフト量（タブ長）を表示するタブ紙シフト量表示部２３と、本文イメージの有無を選択する本文イメージありキー２４ａおよび本文イメージなしキー２４ｂからなる本文イメージ選択キー２４と、各種のメッセージを表示するメッセージ表示部２５が表示される。
【００１７】
次に、本実施の形態の動作を図３を参照し、図４のフローチャートに従って説明する。
【００１８】
図３は、本実施の形態に係るタブ紙の作成手順を示す。なお、Ｌ1はタブ原稿６およびタブ用紙７の長辺の長さを表し、Ｌ2はタブ原稿６の短辺の長さを表す。まず、ユーザが電源を投入すると、画像処理部１は、画像処理装置の各部を初期状態に設定する。すなわち、画像処理部１は、ｎの値を０クリアし、操作部２のタッチパネルディスプレイにメニュー選択画面を表示する（Ｓ１）。
【００１９】
ユーザは、図３（ｂ），（ｃ）に示す本体部７ａとタブ部７ｂからなる複数のタブ用紙７をタブ用紙トレイ５０にセットする。このタブ用紙７は、タブ部７ｂが本体部７ａの長辺７ｃから外側に突出するように設けられており、そのタブ部７ｂの位置はタブ用紙７毎に異なる。
【００２０】
また、ユーザは、図３（ａ）に示すタブ原稿６を画像入力部３のプラテン上に載置する。タブ原稿６には、タブ用紙７の本体部７ａに印刷される本文イメージ６１と、タブ用紙７のタブ部７ｂに印刷される複数のタブ部イメージ６２ａ，６２ｂ，６２ｃ，６２ｄ，６２ｅがタブ原稿６の長辺６ａに沿って記入されている。本文イメージ６１とタブ部イメージ６２は、ユーザによりタブ幅Ｗ内に作成される。
【００２１】
次に、ユーザは、操作部２のタッチパネルディスプレイを押下してメニュー選択画面からタブ設定画面２０ａを指定する。操作部２は、その指定情報を画像処理部１に送る。画像処理部１の図示しないＣＰＵは、操作部２のタッチパネルディスプレイに、図２に示すタブ設定画面２０ａを表示する（Ｓ２）。操作部２のタッチパネルディスプレイの押下情報は、画像処理部１のＣＰＵに送られる。
【００２２】
このタブ設定画面２０ａに対してユーザは、タブ紙モードありキー２１ａを押下してタブ紙モードを選択し（Ｓ３）、本文イメージありキー２４ａを押下し、テンキーによりタブ幅およびタブ紙シフト量を入力すると（Ｓ４）、タブ幅表示部２２にタブ幅が表示され、タブ紙シフト量表示部２３にタブ紙シフト量（タブ長）が表示される。メッセージ表示部２５には、押下したキーや入力した値によって処理内容や警告等のメッセージが表示される。ここでは、タブ紙モードありキー２１ａが押下されたので、メッセージ表示部２５に「タブ用紙をタブ用紙トレイにセットしてください。設定された個数分繰り返しプリントを行います。」の如きメッセージが表示される。
【００２３】
次に、ユーザが操作部２のスタートボタンを押下すると、画像入力部３は、プラテン上のタブ原稿６からタブ原稿画像を読み取り画像蓄積部４に送る（Ｓ５）。画像蓄積部４は、画像処理部１の制御の下に、画像入力部３から送られたタブ原稿画像を圧縮器４０にて圧縮し、メモリ４１に一時的に記憶した後、ＨＤＤ４２に格納する。編集回路４３は、ＨＤＤ４２に記憶されたタブ原稿画像を読み出し、そのタブ原稿画像を図３（ｂ）に示すように、入力されたタブ紙シフト量に対応するシフト量Ｓ分タブ部７ｂ側にシフトするとともに、入力されたタブ幅Ｗに基づいて１番目のタブ部イメージ６２ａ以外の他のタブ部イメージ６２ｂ〜６２ｅを消去した第１のタブ編集画像７０ａを作成してメモリ４１上に展開する（Ｓ６）。その第１のタブ編集画像７０ａは、伸長器４４にて伸長されて画像出力部５に送られる。
【００２４】
画像出力部４は、図３（ｂ）に示すように、タブ用紙トレイ５０から用紙供給部５２によって印刷位置まで供給された１枚目のタブ用紙７に印刷部５３により第１のタブ編集画像７０ａを印刷する。１枚目のタブ用紙７には、本体部７ａに本文イメージ６１が印刷され、タブ部７ｂにタブ部イメージ６２ａが印刷される。このようにして作成された１枚目のタブ紙は、排紙トレイ５４に排紙される（Ｓ７）。
【００２５】
画像処理部１は、ｎをインクリメントし（Ｓ８）、タブ幅Ｗとｎの値を乗算してｋの値を求め（Ｓ９）、タブ用紙７の長辺７ｃの長さＬ1とｋの値を比較してＬ1≧ｋでないとき（Ｓ１０）、編集回路４３は、ＨＤＤ４２に記憶されたタブ原稿画像６０を再度読み出し、そのタブ原稿画像６０を図３（ｃ）に示すように、入力されたタブ紙シフト量に対応するシフト量Ｓ分タブ部７ｂ側にシフトするとともに、２番目のタブ部イメージ６２ｂ以外の他のタブ部イメージ６２ａ，６２ｃ〜６２ｅを消去した第２のタブ編集画像７０ｂを作成してメモリ４１上に展開する（Ｓ６）。その第２のタブ編集画像７０ｂは、伸長器４４にて伸長されて画像出力部５に送られる。
【００２６】
画像出力部４は、図３（ｃ）に示すように、２枚目のタブ用紙７に第２のタブ編集画像７０ｂを印刷する。２枚目のタブ用紙７には、本体部７ａに本文イメージ６１が印刷され、タブ部７ｂにタブ部イメージ６２ｂが印刷される。このようにして作成された２枚目のタブ紙は、排紙トレイ５４に排紙される（Ｓ７）。
【００２７】
他のタブ用紙７に対しても上述したのと同様にタブ編集画像が作成され、そのタブ編集画像がタブ用紙７に印刷される。以上のようにしてタブ部７ｂの位置が異なる複数のタブ紙が作成される。
【００２８】
なお、タブ設定画面２０ａに対してユーザは、タブ紙モードありキー２１ａを押下してタブ紙モードを選択し、本文イメージなしキー２４ｂが押下された場合は、編集回路４３は、タブ編集画像を作成する際、本文イメージ６１も消去した編集画像を作成し、タブ用紙７には本文イメージ６１は印刷されずにタブ部イメージ６２のみが印刷される。
【００２９】
本発明の実施の形態によれば、ユーザは１枚のタブ原稿６を作成し、１回の読取動作を行うことにより、複数のタブ紙を作成できるので、タブ位置の異なる複数のタブ紙を作成する際のユーザの負担軽減を図ることができる。また、ユーザはタブ紙の見栄えを予め想像することができる。なお、対応するタブ部イメージ６２以外の他のタブ部イメージ６２を消去しなくてもよい。この場合、無駄トナーが発生するが、画像を消去する工程を省略できる。また、本文イメージ６１については画像欠けが生じないときはシフトしなくてもよい。
【００３０】
図５は、本発明の第２の実施の形態に係るタブ紙の作成手順を示す。この第２の実施の形態は、第１の実施の形態とはタブ原稿６とタブ編集画像の作成方法が異なる。すなわち、複数のタブ部イメージ６２ａ〜６２ｅがタブ原稿６の長辺６ａに対して斜め方向に形成されている。この場合、編集回路４３によってタブ部イメージ６２の位置に応じてシフト量を異ならせてタブ編集画像を作成すればよい。
【００３１】
なお、上記実施の形態では、本発明の画像形成装置をデジタル複写機に適用した場合について説明したが、プリンタ，ファクシミリ，複合機等の他の装置に適用してもよい。
【００３２】
また、上記実施の形態では、プラテン上に１枚ずつ原稿を載置して画像を読み取ったが、ＡＤＦにより原稿を自動的に供給してもよい。
【００３３】
また、複数のパーソナルコンピュータ（ＰＣ）をネットワークを介して共通の画像処理装置に接続し、ＰＣから画像処理装置に印刷指示や画像転送を行ってもよい。これにより、遠隔操作により効率的なコピーを行うことができる。
【００３４】
また、上記実施の形態では、２つ目以降のタブ編集画像を印刷を終える度に作成したが、必要な数のタブ編集画像を印刷前に形成しておいてもよい。
【００３５】
また、本発明は１つのタブ原稿画像から裏面用のタブ編集画像を作成してタブ部の裏面にもタブ部画像を印刷してもよい。
【００３６】
また、タブ原稿における複数のタブ部画像の位置は、上記実施の形態に限定されず種々変形実施が可能である。例えば、タブ用紙のタブ部の位置に応じてタブ原稿の短辺に沿って形成されていてもよい。
【図面の簡単な説明】
【００３７】
【図１】本発明の第１の実施の形態に係る画像処理装置が適用されたデジタル複写機のブロック図である。
【図２】本発明の第１の実施の形態に係るデジタル複写機の操作部に表示されたタブ設定画面を示す図である。
【図３】（ａ），（ｂ），（ｃ）は、本発明の第１の実施の形態に係るデジタル複写機の動作を説明するための図である。
【図４】本発明の第１の実施の形態に係るデジタル複写機の動作を説明するためのフローチャートである。
【図５】（ａ），（ｂ），（ｃ）は、本発明の第２の実施の形態に係るデジタル複写機の動作を説明するための図である。
【図６】（ａ），（ｂ）は、従来の画像処理装置の動作を説明するための図である。
【符号の説明】
【００３８】
１  画像処理部
２  操作部
３  画像入力部
４  画像蓄積部
５  画像出力部
６  タブ原稿
６ａ  長辺
７  タブ用紙
７ａ  本体部
７ｂ  タブ部
７ｃ  長辺
２０ａ  タブ設定画面
２１  タブ紙モード選択キー
２１ａ  タブ紙モードありキー
２１ｂ  タブ紙モードなしキー
２２  タブ幅表示部
２３  タブ紙シフト量表示部
２４  本文イメージ選択キー
２４ａ  本文イメージありキー
２４ｂ  本文イメージなしキー
２５  メッセージ表示部
４０  圧縮器
４１  メモリ
４２  ＨＤＤ
４３  編集回路
４４  伸長器
５０  タブ用紙トレイ
５１  通常カセット
５２  用紙供給部
５３  印刷部
５４  排紙トレイ
６１  本文イメージ
６２，６２ａ，６２ｂ，６２ｃ，６２ｄ，６２ｅ  タブ部イメージ
７０ａ  第１のタブ編集画像
７０ｂ  第２のタブ編集画像
Ｗ  タブ幅
Ｓ  タブ紙シフト量（タブ長）
【図１】
2005039513.tif 000003
【図２】
2005039513.tif 000004
【図３】
2005039513.tif 000005
【図４】
2005039513.tif 000006
【図５】
2005039513.tif 000007
【図６】
2005039513.tif 000008